(57)【要約】【課題】  フランジに耕耘爪を取付けるロータリ耕耘機に、草巻付き防止用の線状部材を爪軸の外周近くに取付けることができるようにする。【解決手段】  ロータリ機枠１０に軸心回り回転駆動自在に支持された爪軸３の外周に、フランジ４を爪軸方向に複数設け、各フランジ４に耕耘爪２を取付ける。前記全フランジ４に爪軸方向に貫通された貫通孔５が形成され、この全貫通孔５に草巻付き防止用の線状部材６が挿通され、この線状部材６の両端に、爪軸方向両外端側に位置するフランジ４の貫通孔５から爪軸方向内方へ抜けるのを阻止する抜止手段７が備えられている。【選択図】図１
2014217343.tif 000002
【特許請求の範囲】
【請求項１】
ロータリ機枠（１０）に軸心回り回転駆動自在に支持された爪軸（３）の外周に、フランジ（４）を爪軸方向に複数設け、各フランジ（４）に耕耘爪（２）を取付けたロータリ耕耘機であって、
前記全フランジ（４）に爪軸方向に貫通された貫通孔（５）が形成され、この全貫通孔（５）に草巻付き防止用の線状部材（６）が挿通され、この線状部材（６）の両端に、爪軸方向両外端側に位置するフランジ（４）の貫通孔（５）から爪軸方向内方へ抜けるのを阻止する抜止手段（７）が備えられていることを特徴とするロータリ耕耘機。
【請求項２】
前記抜止手段（７）は、線状部材（６）の少なくとも一方の端部に形成された雄ネジ（７ａ）とそれに螺合したナット（７ｂ）とで構成されていることを特徴とする請求項１に記載のロータリ耕耘機。
【請求項３】
前記抜止手段（７）は、線状部材（６）の少なくとも一方の端部を屈曲した屈曲部（７ｃ）、又は、径大にした拡大部（７ｄ）で形成されていることを特徴とする請求項１に記載のロータリ耕耘機。
【請求項４】
前記耕耘爪（２）を取付けたフランジ（４）は、爪軸方向に隣接するもの同士が周方向にその耕耘爪（２）の位相がずれるように爪軸（３）に固定されており、各フランジ（４）には全ての耕耘爪（２）のずれに対応した位置に貫通孔（５）が形成され、全フランジ（４）に亘って線状部材（６）が略直線状に挿通されていることを特徴とする請求項１〜３のいずれか１項に記載のロータリ耕耘機。
【請求項５】
前記ロータリ機枠（１０）を構成するサイドフレーム（１１）には、フランジ（４）の貫通孔（５）に対応していて線状部材（６）が外側方から挿入される挿通孔（１１ａ）が形成されていることを特徴とする請求項１〜４のいずれか１項に記載のロータリ耕耘機。
【請求項６】
前記各フランジ（４）は円盤ドーナツ状板状部材で形成され、各フランジ（４）には、左向きに屈曲した耕耘爪（２Ｌ）と右向きに屈曲した耕耘爪（２Ｒ）とが１組になって周方向間隔をおいて複数設けられていることを特徴とする請求項１〜５のいずれか１項に記載のロータリ耕耘機。
【発明の詳細な説明】
【技術分野】
【０００１】
本発明は、耕耘爪を爪軸のフランジに取付けたロータリ耕耘機に関する。
【背景技術】
【０００２】
耕耘爪を爪軸のフランジに取付けたロータリ耕耘機として、特許文献１に開示されているように、ロータリ機枠に軸心回り回転駆動自在に支持された爪軸の外周に、フランジを爪軸方向に複数設け、各フランジに周方向複数の耕耘爪を取付けている。
また、特許文献２に開示されたサイドドライブ式のロータリ耕耘装置では、軸心回りに回転駆動自在に支持された耕耘軸の外周面に、先端に嵌合凹部を有する多数の爪ブラケットが耕耘軸の径外方向に突設され、その嵌合凹部に嵌合された耕耘爪の基端部を爪ブラケットにボルト固定しており、耕耘軸に草等の長稈が巻き付くのを防止するために、耕耘軸の軸方向に互いに離間した耕耘爪間に長尺の線状部材を耕耘軸から離間して架橋している。
【先行技術文献】
【特許文献】
【０００３】
【特許文献１】特開２００８−２２７１６号公報
【特許文献２】特開２００４−１４１０６１号公報
【発明の概要】
【発明が解決しようとする課題】
【０００４】
前記特許文献１のロータリ耕耘機では、回転軸の外周に板材を外嵌してフランジを形成しているため、そのフランジが障害となって、特許文献２に適用されているところの、爪軸に比較的近い位置で爪軸から離間した位置に、耕耘軸に草等の長稈が巻き付くのを防止する長尺の線状部材を取付ける、ということが困難になっている。
本発明は、このような従来技術の問題点を解決できるようにしたロータリ耕耘機を提供することを目的とする。
【０００５】
本発明は、フランジに耕耘爪を取付けるロータリ耕耘機に草巻付き防止用の線状部材を爪軸の外周近くに取付けることができるようにしたロータリ耕耘機を提供することを目的とする。
【課題を解決するための手段】
【０００６】
本発明における課題解決のための具体的手段は、次の通りである。
第１に、ロータリ機枠１０に軸心回り回転駆動自在に支持された爪軸３の外周に、フランジ４を爪軸方向に複数設け、各フランジ４に耕耘爪２を取付けたロータリ耕耘機であって、
前記全フランジ４に爪軸方向に貫通された貫通孔５が形成され、この全貫通孔５に草巻付き防止用の線状部材６が挿通され、この線状部材６の両端に、爪軸方向両外端側に位置するフランジ４の貫通孔５から爪軸方向内方へ抜けるのを阻止する抜止手段７が備えられていることを特徴とする。
【０００７】
第２に、前記抜止手段７は、線状部材６の少なくとも一方の端部に形成された雄ネジ７ａとそれに螺合したナット７ｂとで構成されていることを特徴とする。
第３に、前記抜止手段７は、線状部材６の少なくとも一方の端部を屈曲した屈曲部７ｃ、又は、径大にした拡大部７ｄで形成されていることを特徴とする。
第４に、前記耕耘爪２を取付けたフランジ４は、爪軸方向に隣接するもの同士が周方向にその耕耘爪２の位相がずれるように爪軸３に固定されており、各フランジ４には全ての耕耘爪２のずれに対応した位置に貫通孔５が形成され、全フランジ４に亘って線状部材６が略直線状に挿通されていることを特徴とする。
【０００８】
第５に、前記ロータリ機枠１０を構成するサイドフレーム１１には、フランジ４の貫通孔５に対応していて線状部材６が外側方から挿入される挿通孔１１ａが形成されていることを特徴とする。
第６に、前記各フランジ４は円盤ドーナツ状板状部材で形成され、各フランジ４には、
左向きに屈曲した耕耘爪２Ｌと右向きに屈曲した耕耘爪２Ｒとが１組になって周方向間隔をおいて複数設けられていることを特徴とする。
【発明の効果】
【０００９】
本発明の請求項１に係る発明は、全フランジ４に爪軸方向に貫通された貫通孔５に草巻付き防止用の線状部材６が挿通され、この線状部材６の両端に抜止手段７が備えられているので、耕耘爪２を取付ける全フランジ４に、草巻付き防止用の線状部材６を挿通して、フランジ４に耕耘爪２を取付けるロータリ耕耘機の最適位置に、草巻付き防止用の線状部材６を簡単に固定できる。
【００１０】
第２に、抜止手段７は、線状部材６の少なくとも一方の端部に形成された雄ネジ７ａとそれに螺合したナット７ｂとで構成されているので、フランジ４に対する線状部材６の抜け止め及び張り調整を簡単かつ容易にできる。
第３に、抜止手段７は、線状部材６の少なくとも一方の端部を屈曲した屈曲部７ｃ、又は、径大にした拡大部７ｄで形成されているので、抜止手段７を容易かつ安価に形成できる。
【００１１】
第４に、耕耘爪２を取付けたフランジ４は、爪軸方向に隣接するもの同士が周方向にその耕耘爪２の位相がずれるように爪軸３に固定されており、各フランジ４には全ての耕耘爪２のずれに対応した位置に貫通孔５が形成され、全フランジ４に亘って線状部材６が略直線状に挿通されているので、全フランジ４を同一形状に形成できる。
第５に、ロータリ機枠１０を構成するサイドフレーム１１には、フランジ４の貫通孔５に対応していて線状部材６が外側方から挿入される挿通孔１１ａが形成されているので、線状部材６に鋼杆を使用しても、サイドフレーム１１の外側方から線状部材６をフランジ４の貫通孔５に挿入することができる。
【００１２】
第６に、各フランジ４は円盤ドーナツ状板状部材で形成され、各フランジ４には、左向きに屈曲した耕耘爪２Ｌと右向きに屈曲した耕耘爪２Ｒとが１組になって周方向間隔をおいて複数設けられているので、草巻付き防止用の線状部材６が取付けられるフランジ４に多数本のＬ形爪が装着できる。
【図面の簡単な説明】
【００１３】
【図１】本発明の第１実施形態を示すロータリ耕耘機全体の断面背面図である。
【図２】同ロータリ耕耘機の側面図である。
【図３】同要部の断面図である。
【図４】各フランジの側面図である。
【図５】本発明の第２実施形態を示す耕耘部の側面図である。
【図６】同要部の断面図である。
【図７】各フランジの側面図である。
【図８】本発明の第３実施形態を示す耕耘部の側面図である。
【図９】同要部の断面図である。
【図１０】トラクタ車体に装着したロータリ耕耘機を示す全体側面図である。
【発明を実施するための形態】
【００１４】
以下、本発明の実施の形態を図面に基づいて説明する。
図１〜４、１０には、本発明の第１実施形態に係るサイドドライブ式のロータリ耕耘機１が示されており、トラクタ車体１００の後部に３点リンク機構２６を介して昇降可能に連結されている。
ロータリ耕耘機１は、ギヤケース１２から左右側方にサポートアーム１５を突出し、この左右サポートアーム１５の外端に伝動ケース１７とサイドフレーム１１とを取付けてロータリ機枠１０を構成し、伝動ケース１７とサイドフレーム１１の下部に回転短軸１９を設け、両回転短軸１９間に爪軸３を連結している。
【００１５】
ロータリ機枠１０には左右支持ステー２５及びマスト２９が設けられ、左右支持ステー２５には３点リンク機構２６の左右一対のロアリンク２８の後端が連結され、マスト２９にはトップリンク２７が連結されている。
トラクタ車体１００のＰＴＯ軸３０からジョイント３１を介して入力軸１３に伝達され
る動力は、ギヤケース１２内のギヤ１４及び左サポートアーム１５内の伝動軸１６を介して伝動ケース１７内の伝動チェーン伝達手段１８により回転短軸１９及び爪軸３を駆動する。爪軸３には複数枚のフランジ４を介して多数本の耕耘爪２が固定され、これらで耕耘部Ｋを形成しており、爪軸３は図２、１０において矢印Ａ方向に回転駆動する。
【００１６】
ロータリ機枠１０は、伝動ケース１７及びサイドフレーム１１の内面に固定された側板２３と、この左右側板２３の前部を連結する前枠材３１とを有しており、この左右側板２３と前枠材３１とに耕耘部Ｋの上方を覆う主カバー２１が装着されており、この主カバー２１の略中央部は固定部材２４を介してギヤケース１２に支持されている。
前記前枠材３１及び主カバー２１に左右支持ステー２５が設けられ、左右支持ステー２５にマスト２９が支持され、主カバー２１の後部に耕耘部Ｋの後方を覆うリヤカバー（図示されていない）が枢支され、伝動ケース１７及びサイドフレーム１１の後方側と左右側板２３とに耕耘部Ｋの側方後部側を覆うリヤサイドカバー２２が設けられている。
【００１７】
サイドフレーム１１及び伝動ケース１７には、耕深調整用のスキッド２０が上下位置調整自在にかつ着脱自在に取付けられている。なお、左右スキッド２０はどちらか片方のみでも良い。
図１〜４において、前記爪軸３は円筒回転軸であり、軸方向に一定の間隔をおいて多数枚のフランジ４が設けられており、これら各フランジ４の一方の面に６本の耕耘爪２がボルトＢとナットＮによって締結されている。
【００１８】
なお、図４（ａ）〜（ｆ）は、図１で示した符号（ａ）〜（ｆ）に対応しており、例えば、図４（ｂ）のフランジ４は、図４（ａ）のフランジ４及び図４（ｃ）のフランジ４に対して、それぞれ周方向に２０°位相がずらされている。
前記フランジ４は円盤ドーナツ状に形成された板状部材であり、中央部の孔が爪軸３に嵌合され、外周側には６本の耕耘爪２を装着するための取付孔４ａが周方向に所定の間隔を有して６組設けられている。この取付孔４ａは２つの孔で１組をなして１本の耕耘爪２を取付け、左右各向き３本計６本の耕耘爪２を取付けている。
【００１９】
耕耘爪２は、図１〜４に示すように、中央付近から先端部にかけて正面視で先端側ほど伝動ケース１７側又はサイドフレーム１１側に向かって屈曲したＬ形爪であり、耕耘爪２の取付基部８にはフランジ４に固定するための取付け孔２ａが設けられている。
以下、伝動ケース１７側に向かって屈曲している耕耘爪２を左向きの耕耘爪２Ｌと記し、サイドフレーム１１側に向かって屈曲している耕耘爪２を右向きの耕耘爪２Ｒと記す。これらの左右向き耕耘爪２Ｌ、２Ｒは、フランジ４の一側面に周方向交互に配置されて、１本の左向き耕耘爪２Ｌと１本の右向き耕耘爪２Ｒとで１組となり、フランジ４に３組の左右向き耕耘爪２Ｌ、２Ｒが１２０°ずつ変位して配置されている。
【００２０】
また、前記フランジ４には、取付孔４ａより径内側に草巻付き防止用の線状部材６を挿通するための貫通孔５が、６つ１組となって、爪軸３廻りに略１８０°変位した位置に２組設けられている。この各組６つの貫通孔５は、周方向に２０°ずつ変位した箇所に設けられており、６枚の全フランジ４の位相に対応しており、６枚のフランジ４は、６つの貫通孔５の内のどれか１つが爪軸３と平行な１本の直線上に位置することになる。
【００２１】
即ち、フランジ４には略１８０°変位した位置の６つ１組の貫通孔５が２組形成され、図４（ａ）〜（ｆ）に示すように、爪軸周方向において同一位相に位置する貫通孔５が一直線上に配置され、かつ周方向１８０°変位した位置に一対形成されることになり、２本の直線状の線状部材６を爪軸３と平行に挿通することができる。
フランジ４は６組の取付孔４ａと６つ２組の貫通孔５を形成することにより、全てのフランジ４を同一形状に形成しておいて、爪軸３に対して２０°ずつ位相をずらして固定すれば、左右向き耕耘爪２Ｌ、２Ｒの取付けと直線状の線状部材６の挿通とができることになる。
【００２２】
線状部材６は、爪軸３よりやや短く、かつ爪軸３の両外端のフランジ４間距離よりやや長い棒材（鋼杆）や長尺のワイヤ材からなり、両端部には雄ネジ７ａが形成されている。この雄ネジ７ａに２つのナット７ｂを両外端のフランジ４の外側から螺合することにより、爪軸方向内方へ抜けるのを阻止する抜止手段７を構成している。この抜止手段７は、ナ
ット７ｂの位置によって線状部材６の張力付与及び張り調整ができる。
【００２３】
ロータリ機枠１０のサイドフレーム１１には、全フランジ４の一直線状になる貫通孔５に対応して１つの挿通孔１１ａが形成されている。
前記線状部材６は屈曲困難な鋼杆又はワイヤである場合、サイドフレーム１１の外側方から挿通孔１１ａに挿通しながら爪軸３と平行に移動し、全フランジ４の一直線状の貫通孔５に挿通し、両外端のフランジ４から雄ネジ７ａを外側方へ突出した状態に配置し、その突出した両端雄ネジ７ａにナット７ｂを螺合して締結し、線状部材６の両端を抜け止め状態にしてフランジ４に装着する。
【００２４】
前記線状部材６が屈曲可能なワイヤである場合、サイドフレーム１１の挿通孔１１ａを利用しなくとも、サイドフレーム１１の下側から全フランジ４の貫通孔５に線状部材６を挿通することはできる。
前記線状部材６は全フランジ４にわたって架設された状態で、爪軸３から径外方向に離れているが爪軸３に比較的近い位置に配置され、耕耘時に爪軸３に巻き付こうとする草の巻き付きを阻止し、また、草が巻き付くことがあっても、爪軸３と線状部材６とが離れているので、その間に刃物を入れて容易に切断することができる。
【００２５】
図５〜７には、本発明の第２実施形態に係るロータリ耕耘機が示されている。この第２実施形態は、前記第１実施形態とフランジ４の貫通孔５の形成及び抜止手段７の形成が異なっている。
フランジ４には、２つ切欠凹部５０が互いに周方向１８０°変位した位置に形成されている。この各切欠凹部５０は、耕耘爪２の取付基部８が締結される１組の取付け孔２ａの中間位置に、外周から取付け孔２ａより径内側まで切りかかれて形成されており、回転方向前後壁と底とを有し、耕耘爪２の取付基部８をボルトＢによってフランジ４に装着したときに、その切欠凹部５０の開口側を塞いで底が残る長さとなっている。
【００２６】
フランジ４に耕耘爪２の取付基部８を取付けると、切欠凹部５０がその底を残して取付基部８で塞がれ、切欠凹部５０の底が線状部材６を挿通するための貫通孔５を形成することになる。
線状部材６は、耕耘爪２を取付ける前の全フランジ４に対して、外周側から切欠凹部５０に挿入し、フランジ４に耕耘爪２の取付基部８を取付けることにより、切欠凹部５０からの離脱が阻止される。切欠凹部５０に底まで入った線状部材６は取付基部８によって切欠凹部５０が底を残した状態で塞がれることにより、貫通孔５に貫通された状態になる。
【００２７】
線状部材６の両端には扁平にすることで拡大した拡大部７ｄが形成されており、この拡大部７ｄが爪軸方向両外端側に位置するフランジ４の貫通孔５から爪軸方向内方へ抜けるのを阻止する抜止手段７を構成している。
この第２実施形態のフランジ４は、６組の取付孔４ａと１組の貫通孔形成用の切欠凹部５０とを有しており、全てのフランジ４を同一形状に形成しておいて、図７（ａ）〜（ｆ）に示すように、爪軸３に対して２０°ずつ位相をずらして固定し、左右向き耕耘爪２Ｌ、２Ｒの取付けと線状部材６の挿通とを可能にしている。
【００２８】
全フランジ４の切欠凹部５０は２０°ずつ変位しているので、線状部材６は爪軸３に対して平行にはならなく、螺旋状を呈する。従って、線状部材６には僅かに屈曲可能な長い棒材や長尺のワイヤ材を使用する。
図８、９には、本発明の第３実施形態に係るロータリ耕耘機が示されている。この第３実施形態は、前記第２実施形態と線状部材６の端部の抜止手段７が異なる。線状部材６は、その端部を両端のフランジ４の外側で屈曲させることで屈曲部７ｃを形成して抜止手段７を構成している。
【００２９】
耕耘爪２を取付ける前の全フランジ４に対して、線状部材６をフランジ４の外周側から切欠凹部５０に挿入し、取付基部８を取付けて切欠凹部５０からの離脱を阻止する。切欠凹部５０の底の貫通孔５まで入った線状部材６は、耕耘爪２の取付基部８によって、爪軸３の径外方向への移動が阻止され、両端の屈曲部７ｃはフランジ４の貫通孔５から爪軸方向内方へ抜けるのが阻止される。
【００３０】
なお、本発明は前記実施形態における各部材の形状及びそれぞれの前後・左右・上下の
位置関係は、図１〜９に示すように構成することが最良である。しかし、前記実施形態に限定されるものではなく、部材、構成を種々変形したり、組み合わせを変更したりすることもできる。
例えば、フランジ４に取付ける耕耘爪２は１本でもよく、また、１８０°変位して２組設けても良く、さらに、Ｌ形爪の代わりになた爪でも良い。取付ける耕耘爪２の本数が少ない場合は、フランジ４の外周形状を楕円形にしてもよい。
【００３１】
線状部材６は１本又は３本以上設けるようにしても良い。線状部材６の両端に設ける抜止手段７は、線状部材６の一端側を第１〜３実施形態のいずれかの構成にし、他端側を一端側と異なる第１〜３実施形態の構成にしてもよく、また、線状部材６の端部に筒体を嵌着（カシメ）して拡大した拡大部７ｄを形成したものでも良い。
貫通孔５を構成する切欠凹部５０は、１組の取付け孔２ａの中央に位置するが、中央からずれた位置にあっても良い。
【００３２】
爪軸３の線状部材６を取付ける全フランジ４よりも爪軸方向外端側に、補助のフランジ４及び耕耘爪２を配置しても良い。
【符号の説明】
【００３３】
１      ロータリ耕耘機
２      耕耘爪
３      爪軸
４      フランジ
５      貫通孔
６      線状部材
７      抜止手段
７ａ    雄ネジ
７ｂ    ナット
７ｃ    屈曲部
７ｄ    拡大部
８      取付基部
１０    ロータリ機枠
１１    サイドフレーム
１２    ギヤケース
１３    入力軸
１５    サポートアーム
【図１】
2014217343.tif 000003
【図２】
2014217343.tif 000004
【図３】
2014217343.tif 000005
【図４】
2014217343.tif 000006
【図５】
2014217343.tif 000007
【図６】
2014217343.tif 000008
【図７】
2014217343.tif 000009
【図８】
2014217343.tif 000010
【図９】
2014217343.tif 000011
【図１０】
2014217343.tif 000012